(57)【要約】【課題】  ボタン電話機の近傍に電話対応者がいないときに転送電話モードに設定できる転送電話機能を備えたボタン電話装置を提供する。【解決手段】  ＲＦＩＤ信号送信機能と、ＲＦＩＤ情報受信機能と、受信したＲＦＩＤ情報に基づいてＲＦＩＤタグが存在するか否かを示す位置情報を記述したＩＤ情報テーブルと、転送電話モード設定機能と、転送電話モードに設定されているときに着信を他の電話機に転送する転送電話機能を有するボタン電話主装置１と、ＲＦＩＤ信号に基づいてＲＦＩＤタグの情報を読み取るＲＦＩＤ情報読取機能と、ＲＦＩＤ情報等をボタン電話主装置へ送信するＲＦＩＤ情報送信機能を有するボタン電話機２とからなるボタン電話装置であって、ボタン電話主装置１は、外線の着信時にボタン電話機の近傍に電話応答者がいるかいないかを判断し、ボタン電話機の近傍に電話応答者がいないときに転送電話モードを設定する。【選択図】      図１
2006074182.tif 000002
【特許請求の範囲】
【請求項１】
複数の外線と少なくとも複数の内線回路に接続されるボタン電話主装置と、該ボタン電話主装置に接続されるボタン電話機とからなるボタン電話装置であって、
ボタン電話主装置が、ボタン電話機にＲＦＩＤ情報を読み取ることを指示するＲＦＩＤ信号を送信するＲＦＩＤ信号送信手段と、ボタン電話機からのＲＦＩＤ情報等を受信する手段と、受信したＲＦＩＤ情報に基づいてＲＦＩＤタグが存在するか否かを示す位置情報を記述したＩＤ情報テーブルと、着信を他の電話機に転送する転送電話モードを設定する転送電話モード設定手段と、転送電話モードに設定されているときに着信を他の電話機に転送する転送電話手段を具備し、
ボタン電話機が、ボタン電話主装置からのＲＦＩＤ信号に基づいてＲＦＩＤタグの情報を読み取るＲＦＩＤ情報読取手段と、読み取ったＲＦＩＤ情報等をボタン電話主装置へ送信するＲＦＩＤ情報送信手段を具備し、
ボタン電話主装置は、外線の着信時にボタン電話機の近傍に電話応答者がいるかいないかを判断し、ボタン電話機の近傍に電話応答者がいないときに転送電話モードを設定する
ことを特徴とするボタン電話装置。
【請求項２】
請求項１記載のボタン電話装置において、
ＲＦＩＤタグには、電話応答者を特定するＩＤが記載されることを特徴とするボタン電話装置。
【請求項３】
請求項１記載のボタン電話装置において、
ＩＤ情報テーブルには、ＲＦＩＤタグが存在する位置情報をボタン電話機毎に記述することを特徴とするボタン電話装置。
【請求項４】
請求項１記載のボタン電話装置において、
ＩＤ情報テーブルには、ＲＦＩＤタグが存在する位置情報を外線毎に記述することを特徴とするボタン電話装置。
【請求項５】
請求項１記載のボタン電話装置において、
ＩＤ情報テーブルには、ＲＦＩＤタグが存在する位置情報を発信者電話番号毎に記述することを特徴とするボタン電話装置。
【請求項６】
請求項１記載のボタン電話装置において、
ボタン電話主装置が、少なくとも予め設定された転送電話モード設定を設定または解除する時刻と現在時刻とを比較して転送電話モードを設定するか解除するかを判定する
ことを特徴とするボタン電話装置。
【請求項７】
請求項１記載のボタン電話装置において、
ボタン電話機が、転送電話モードを設定する転送電話モード設定情報を入力する入力手段を具備し、
ボタン電話主装置が、少なくとも転送電話モード設定情報に基づいて転送電話モードを設定するか解除するかを判定する
ことを特徴とするボタン電話装置。
【請求項８】
複数の外線と少なくとも複数の内線回路に接続され、ボタン電話子機にＲＦＩＤ情報を読み取ることを指示するＲＦＩＤ信号を送信するＲＦＩＤ信号送信手段とボタン電話機からのＲＦＩＤ情報等を受信する手段と受信したＲＦＩＤ情報に基づいてＲＦＩＤタグが存在するか否かを示す位置情報を記述したＩＤ情報テーブルと着信を他の電話機に転送する転送電話モードを設定する転送電話モード設定手段と転送電話モードに設定されているときに着信を他の電話機に転送する転送電話手段とを有するボタン電話主装置と、ボタン電話主装置からのＲＦＩＤ信号に基づいてＲＦＩＤタグの情報を読み取るＲＦＩＤ情報読取手段と読み取ったＲＦＩＤ情報等をボタン電話主装置へ送信するＲＦＩＤ情報送信手段を具備するボタン電話機とからなるボタン電話装置における転送電話モードの設定方法であって、
ボタン電話主装置が、ボタン電話機へＲＦＩＤ情報を読み取ることを指示するＲＦＩＤ信号を送信し、
ボタン電話機が、ＲＦＩＤ信号に基づいてＲＦＩＤ情報を取得してボタン電話主装置へ送信し、
ボタン電話主装置が、受信したＲＦＩＤ情報に基づいて転送電話モードを設定するか否かを判定する
ことを特徴とするボタン電話装置における転送モードの設定方法。
【発明の詳細な説明】
【技術分野】
【０００１】
本発明は、ボタン電話装置に関し、特にボタン電話装置のボタン電話主装置およびボタン電話機等の端末の付近に電話応答者が居ない場合に、そのボタン電話装置の着信時の応答を転送電話機能に自動的に設定するボタン電話装置に関する。
【背景技術】
【０００２】
従来からボタン電話装置においては、夜間や外出時など着信に応答できない場合に、１つの外線からの着信を別の外線を使用して転送する転送電話機能を持ったものが公知である。これらのボタン電話装置では、ユーザーが外出状況等により自ら機能のオン・オフをボタン操作で行う。或いは、時計機能を持ち、予め設定した時間により自動でオン・オフされる。また、外出先から電話を利用して転送電話機能のオン・オフの切り替えをリモート操作で実施できるものがある。
【０００３】
これらの操作を自動化する手段として、取扱者が不在であるかを、センサ等を利用して検出して、人が居ない場合に自動的に不在を検出する制御が行われていた（例えば、特許文献１参照）。
【０００４】
【特許文献１】実開平６−３１２６０号公報
【発明の開示】
【発明が解決しようとする課題】
【０００５】
センサによる人の検出においては、電話応答者以外の人でも検出されると不在と判定されず、絶えず人の出入りがあるような場所においては機能しないと言う問題があった。さらに、ボタン電話装置のように複数の回線と複数のボタン電話機で構成される装置においては、着信に対して応答する人が決まっているようなケースもあり、其の着信の応答者の不在を特定することができないと言う問題があった。
【０００６】
本発明は、転送電話機能を備えたボタン電話装置において、ボタン電話機の近傍に電話対応者がいないときに転送電話モードに設定できるボタン電話装置を提供することを目的とする。
【課題を解決するための手段】
【０００７】
上記課題を解決するために、本発明は、ボタン電話機を使用する人がＲＦＩＤ（Ｒａｄｉｏ  Ｆｒｅｑｕｅｎｃｙ  ＩＤ）タグ等の微小電力通信手段（以下ＲＦＩＤタグという）を付加した物（例えば、社員証、名札、携帯電話など）を携帯し、ボタン電話装置のボタン電話機等の端末にＲＦＩＤ情報を読み取るＲＦＩＤ情報読取手段と、読み取ったＲＦＩＤ情報をボタン電話主装置に送るＲＦＩＤ情報送信手段とを備え、ボタン電話装置のボタン電話主装置にはボタン電話機からのＲＦＩＤ情報を受信するＲＦＩＤ情報受信手段と、受信したＲＦＩＤ情報から、ＲＦＩＤタグを付加した物の有無を識別するＲＦＩＤタグ存在識別手段と、識別した情報に基づき転送電話機能設定をオン又はオフにする転送電話機能設定手段と、を備えたことを特徴とする。
【０００８】
上記ＲＦＩＤタグには、電話応答者本人を特定するＩＤが書かれており、ボタン電話装置の外線毎に電話応答者が不在か否かを識別して外線毎の転送電話機能設定をオン又はオフにすることを特徴とする。また、対象の電話応答者は１人でも複数でも良く、予め登録しておくことにより機能する。
【０００９】
上記ＲＦＩＤタグには、電話応答者本人を特定するＩＤが書かれており、ボタン電話装置のボタン電話機毎に電話応答者が不在か否かを識別してボタン電話機毎の転送電話機能設定をオン又はオフにすることを特徴とする。また、対象の電話応答者は１人でも複数でも良く、予め登録しておくことにより機能する。
【００１０】
上記ＲＦＩＤタグには、電話応答者本人を特定するＩＤが書かれており、ボタン電話装置への着信の発信者番号毎に電話応答者が不在か否かを識別して発信者番号毎の転送電話機能設定をオン又はオフにすることを特徴とする。また、対象の電話応答者は１人でも複数でも良く、予め登録しておくことにより機能する。
【００１１】
また、電話応答者本人が席に居るが都合により電話に応答できない場合には、自らボタン操作等により転送電話機能のオン・オフを制御できるようにするため、ボタン電話装置のボタン電話機には、転送電話機能設定を手動でオン・オフするための転送電話機能設定ボタンと、ボタン操作を読み取るボタン操作読取手段と、読み取ったボタン情報をボタン電話主装置に送るボタン情報送信手段とを備え、ボタン電話装置のボタン電話主装置には、電話機からのボタン情報を受信するボタン情報受信手段と、読み取ったボタン情報の結果と、上記ＲＦＩＤ情報の結果の両方を組み合わせて、転送電話機能設定をオン又はオフする転送電話機能設定手段と、を備える。
【００１２】
例えば、昼間は留守か否かで留守番モード設定のオン又はオフを決め、夜間等は席に居る場合でも、時間になったら自動的に留守番モード設定をオンするような場合に、ボタン電話装置のボタン電話主装置に、時刻を計数する時計手段と、予め決めた時刻になると転送電話機能を切り替える転送電話機能切替手段とを備え、時刻による切替手段の結果と上記ＲＦＩＤ情報の結果の両方を組み合わせて転送電話機能設定をオン又はオフする転送電話機能設定手段とを備える。
【００１３】
上記予め設定された時刻になると転送電話機能の設定を変更するボタン電話装置において、予め決めた時刻になっても設定が切り替わっては困る場合には、上記転送電話設定機能ボタンを用いた手動設定手法との組み合わせにより転送電話機能設定をオン又はオフすることができる。
【００１４】
すなわち、本発明は、複数の外線と少なくとも複数の内線回路に接続されるボタン電話主装置と、該ボタン電話主装置に接続されるボタン電話機とからなるボタン電話装置であって、ボタン電話主装置が、ボタン電話機にＲＦＩＤ情報を読み取ることを指示するＲＦＩＤ信号を送信するＲＦＩＤ信号送信手段と、ボタン電話機からのＲＦＩＤ情報等を受信する手段と、受信したＲＦＩＤ情報に基づいてＲＦＩＤタグが存在するか否かを示す位置情報を記述したＩＤ情報テーブルと、着信を他の電話機に転送する転送電話モードを設定する転送電話モード設定手段と、転送電話モードに設定されているときに着信を他の電話機に転送する転送電話手段を具備し、ボタン電話機が、ボタン電話主装置からのＲＦＩＤ信号に基づいてＲＦＩＤタグの情報を読み取るＲＦＩＤ情報読取手段と、読み取ったＲＦＩＤ情報等をボタン電話主装置へ送信するＲＦＩＤ情報送信手段を具備し、
ボタン電話主装置は、外線の着信時にボタン電話機の近傍に電話応答者がいるかいないかを判断し、ボタン電話機の近傍に電話応答者がいないときに転送電話モードを設定するようにした。
【００１５】
本発明は、上記ボタン電話装置において、ＲＦＩＤタグには、電話応答者を特定するＩＤが記載され、ＩＤ情報テーブルには、ＲＦＩＤタグが存在する位置情報をボタン電話機毎に記述する。さらに、本発明は上記ボタン電話装置において、ＩＤ情報テーブルには、ＲＦＩＤタグが存在する位置情報を外線毎、または、発信者電話番号毎に記述する。
【００１６】
本発明は、上記ボタン電話装置において、ボタン電話主装置が、少なくとも予め設定された転送電話モード設定を設定または解除する時刻と現在時刻とを比較して転送電話モードを設定するか解除するかを判定する。さらに、本発明は、上記ボタン電話装置において、
ボタン電話機が、転送電話モードを設定する転送電話モード設定情報を入力する入力手段を具備し、ボタン電話主装置が、少なくとも転送電話モード設定情報に基づいて転送電話モードを設定するか解除するかを判定する。
【００１７】
また、本発明は、複数の外線と少なくとも複数の内線回路に接続され、ボタン電話機にＲＦＩＤ情報を読み取ることを指示するＲＦＩＤ信号を送信するＲＦＩＤ信号送信手段とボタン電話機からのＲＦＩＤ情報等を受信する手段と、受信したＲＦＩＤ情報に基づいてＲＦＩＤタグが存在するか否かを示す位置情報を記述したＩＤ情報テーブルと着信を他の電話機に転送する転送電話モードを設定する転送電話モード設定手段と転送電話モードに設定されているときに着信を他の電話機に転送する転送電話手段とを有するボタン電話主装置と、ボタン電話主装置からのＲＦＩＤ信号に基づいてＲＦＩＤタグの情報を読み取るＲＦＩＤ情報読取手段と読み取ったＲＦＩＤ情報等をボタン電話主装置へ送信するＲＦＩＤ情報送信手段を具備するボタン電話機とからなるボタン電話装置における転送電話モードの設定方法であって、ボタン電話主装置が、ボタン電話機へＲＦＩＤ情報を読み取ることを指示するＲＦＩＤ信号を送信し、ボタン電話機が、ＲＦＩＤ信号に基づいてＲＦＩＤ情報を取得してボタン電話主装置へ送信し、ボタン電話主装置が、受信したＲＦＩＤ情報に基づいて転送電話モードを設定するか否かを判定する。
【発明の効果】
【００１８】
本発明は、ＲＦＩＤタグを携帯するボタン電話装置の電話応答者が不在であることを確実に判定して、留守中に転送電話機能が働かないことを回避することができ、重要な用件を取り逃がすことがなくなる。
【００１９】
着信に対する電話応答者の本人確認が確実にできることから、電話応答者以外が電話機の近くにいる場合にも留守番モードに設定でき、誤って応答者以外が電話に応答してしまうことを防ぐことができる。
【００２０】
着信に対する電話応答者の本人確認が確実にできることから、着信に対する転送電話機能を外線毎設定、電話機毎設定、発信者番号毎設定の様にきめ細かく不在を検出することができる。
【発明を実施するための最良の形態】
【００２１】
以下、本発明の実施の形態を図面に基づいて詳細に説明する。図１は、本発明にかかる転送電話のモード変更方法が適用されるボタン電話装置の全体構成を説明する図である。図１に示すように、ボタン電話装置は、ボタン電話主装置１と、ボタン電話機２とから構成され、通信網６を介した発信電話機７−１からの着信を通信網６を介して着信電話機７−２へ自動的に転送するように構成される。ボタン電話主装置１は、中央制御部１１と、通話路スイッチ１２と、複数の外線回路１３−１，１３−２を有して構成される。発信側電話機７−１からの着信があった場合に、通常はボタン電話主装置１の中央制御部１１が着信を検出してボタン電話機２を着信させるが、応対者（人）５がＲＦＩＤエリアの外に移動した場合には応答することができないので、ボタン電話主装置１の中央制御部１１は、もう１つの外線回路１３−２から発信して、例えば対応者５が携帯している別の着信電話機７−２に転送する。
【００２２】
図２および図３を用いて、本発明の第１〜第５の実施例に用いるボタン電話装置のボタン電話主装置およびボタン電話機の構成の概略と、ＲＦＩＤタグ３の外観例および構成を説明する。
【００２３】
ボタン電話装置は、１以上の外線および複数の内線を収容するボタン電話主装置１と、該ボタン電話主装置１に接続された複数のボタン電話機２−１〜２−ｎから構成される。
【００２４】
ボタン電話主装置１は、中央制御部１１と、通話路スイッチ１２と、１以上の外線回路１３−１〜１３−ｎと、留守番回路１４と、複数の内線回路１５−１〜１５−ｎと、記憶部１６と、時計回路１７と、を有して構成される。
【００２５】
中央制御部１１は、ボタン電話主装置１の各回路からの入力情報（ボタン電話機２からの情報も含む）に対する解析や判断、記憶部１６に対する情報の入出力、各回路の制御、外線からの着信を外線を介して他の電話機へ転送する制御を行う手段である。
【００２６】
通話路スイッチ１２は、ボタン電話主装置１内の交換処理（外線と内線の接続、留守番回路の内線・外線への接続、他）を行う手段である。
【００２７】
外線回路１３−１〜１３−ｎは、外線に接続されるインタフェース回路である。ここで言う外線は、一般公衆回線、ＩＰ電話事業者の回線、専用線、私設線、携帯等の無線使用回線（無線／有線変換アダプタ使用）、等も含まれる。
【００２８】
留守番回路１４は、外線回路１３−１〜１３−ｎからの音声を録音したり、録音内容を通話路スイッチ１２経由でボタン電話機２へ送出する回路である。
【００２９】
内線回路１５−１〜１５−ｎは、ボタン電話機２−１〜２−ｎと音声データ、制御データの通信を行うためのインタフェース回路である。
【００３０】
記憶部１６は、通常の記憶部としての働きの他に、転送電話モードを切り替えるためのＩＤ情報、ボタン情報、時計情報等が記憶される。
【００３１】
時計回路１７は、時刻を計数する回路である。
【００３２】
また、ボタン電話機２は、制御部２１と、データ送受信回路２２と、音声処理部２３と、送受話器２４と、スピーカ２５と、入力回路２６と、表示回路２７と、ＲＦＩＤリーダー／ライター２８を有して構成される。
【００３３】
制御部２１は、ボタン電話機２内の各回路からの入力情報に対する解析や判断、各回路の制御を行う手段である。
【００３４】
データ送受信回路２２は、内線回路１５−１〜１５−ｎを介してボタン電話主装置１と音声データ、制御データの通信を行うためのインタフェース回路である。
【００３５】
音声処理部２３は、音声のデジタル／アナログ変換、アナログ／デジタル変換と、ボタン電話機２内の送受話器２４やスピーカ２５等との通話路切り替えおよび音量を制御する手段である。
【００３６】
送受話器２４は、一般的な通話時の送話、受話を行うためのハンドセットである。
【００３７】
スピーカ２５は、着信音の送出や、スピーカによる拡声受話に使用する手段である。
【００３８】
入力回路２６は、ダイヤルキーや機能キーなどの各種情報入力手段である。
【００３９】
表示回路２７は、電話番号、通話時間等を表示する手段であり、ＬＣＤなどを用いて構成される表示手段を含みこの表示手段を駆動する手段である。
【００４０】
ＲＦＩＤリーダー／ライター２８は、ＲＦ信号を送出して社員証３等に付加されたＲＦＩＤタグ３１に電源を供給するとともに、ＲＦＩＤタグ３１と各種情報の送受信を行う手段である。
【００４１】
図３に、ＲＦＩＤタグ３１を付加した社員証３の一例を示す。社員証３の内部にＲＦＩＤタグ３１が付加され、ＲＦＩＤタグ３１にはＩＤ情報の記憶部３２がある。この社員証はＲＦＩＤタグが付加される物の一例であり、ＲＦＩＤタグが付加される物としては、社員証の他に、名札、携帯電話等の応答者が普段携帯する物でＲＦＩＤタグを付加できるものであれば同様の動作が可能である。
【００４２】
第１の実施例の動作を図２〜図９を用い、ボタン電話機が２台、電話応答者（ＲＦＩＤタグ）が５人の構成のシステムで、システム一括で転送電話モードをオン又はオフする場合について説明する。
【００４３】
ボタン電話機Ａ２−１およびボタン電話機Ｂ２−２、ＲＦＩＤタグ３１−１〜３１−５が図３の位置関係、すなわち、ＲＦＩＤタグ３１−１およびＲＦＩＤタグ３１−５がボタン電話機Ａ２−１のＲＦＩＤエリア（エリア番号１）に、ＲＦＩＤタグ３１−３がボタン電話機Ｂ２−２のＲＦＩＤエリア（エリア番号２）に、ＲＦＩＤタグ３１−２およびＲＦＩＤタグ３１−４がいずれのボタン電話機２のＲＦＩＤエリア外にあるとする。
【００４４】
図９に示すように、ボタン電話装置のボタン電話主装置１は、定期的（Ｓ１０１）に全ボタン電話機２にＩＤ要求を送信する（Ｓ１０２、Ｓ１０３）。ＩＤ要求を受信（Ｓ２０１、Ｓ３０１）したボタン電話機Ａ２−１、ボタン電話機Ｂ２−２は、それぞれＲＦＩＤリーダー／ライター２８からＲＦ信号を送出する（Ｓ２０２、Ｓ３０２）。ＲＦＩＤエリア内にあるＲＦＩＤタグ３１はＲＦ信号によりパワーが供給され動作を開始する。
【００４５】
このＲＦ信号にはコマンドが含まれ、ＲＦＩＤタグ３１はそのコマンドを受け取ると記憶部３２に記憶されたＩＤを送信し、ボタン電話機２のＲＦＩＤリーダー／ライター２８はＲＦＩＤタグ３１から送信されたＩＤを受信する（Ｓ２０３、Ｓ３０３）。
【００４６】
ボタン電話機２は、ＲＦＩＤタグ３１からのデータ受信を一定時間監視して（Ｓ２０４、Ｓ３０４）、その時間内に受信したＩＤをボタン電話主装置に送信する（Ｓ２０５、Ｓ３０５）。
【００４７】
ボタン電話主装置１は、ボタン電話機２から受信したＩＤ情報を、記憶部１６にＩＤ情報テーブルとして記憶する（Ｓ１０４）。このＩＤ情報テーブルは、図５に示すようにＩＤタグのＩＤ番号に対応して、どのボタン電話機のＲＦＩＤエリア内にあるかを示すエリア番号が記述されて構成される。
【００４８】
図５のＩＤ情報テーブルにおいて、全てのＩＤに対してエリア番号が“０”である（Ｙｅｓ）場合には（Ｓ１０５）、中央制御部１１は、いずれのボタン電話機の近辺に誰も居ないと判定して、転送電話モードをオンに設定する（Ｓ１０７）。
【００４９】
また、ステップＳ１０５において、いずれか１つ以上のＩＤのエリア番号が“０”以外であった（Ｎｏ）場合には、いずれかのボタン電話機の近辺に誰かが居ると判定して、転送電話モードをオフに設定する（Ｓ１０６）。
【００５０】
また、電話機毎に応答者の不在を検出する場合には、ボタン電話主装置１に記憶されるＩＤ情報テーブルは、図６に示すように、ＲＦＩＤタグのＩＤ番号と、そのＲＦＩＤが存在するボタン電話機のＲＦＩＤエリア番号と、そのＲＦＩＤタグが応答者としての対象となるか否かを電話機毎に設定する対象／非対象が記述されて構成される。中央制御部１１は、電話機毎に対象／非対象が対象に設定されたＩＤだけを確認して、対象のＩＤ全てのエリア番号が“０”である場合（当該ボタン電話機の近傍に応答者が誰もいない）に転送電話モードをオンに設定し、対象ＩＤのいずれか１つ以上のＩＤのエリア番号が“０”以外である場合（当該ボタン電話機の近傍に応答者がいる）に転送電話モードをオフに設定する。
【００５１】
外線毎に不在を検出する場合は、記憶されるＩＤ情報テーブルは図７に示すように、ＲＦＩＤが外線毎にタグ検索の対象となるか非対象となるかを記述したものとなり、転送電話モードに設定する否かの判定方法は、電話機毎の場合と同様となる。
【００５２】
さらに、発信者番号毎に不在を検出する場合は、記憶されるＩＤ情報テーブルは図８に示すように、ＲＦＩＤが発信者番号毎にタグ検索の対象となるか非対象となるかを記述したものとなり、転送電話モードに設定する否かの判定方法は、電話機毎の場合と同様となる。
【００５３】
第２の実施例の動作を説明する。第２の実施例は、第１の実施例と以下に示すボタン操作による転送電話モードのオン又はオフ設定の組み合わせであり、第１の実施例で説明の部分は以下の説明では省略および簡略化する。
【００５４】
図４において、ＲＦＩＤタグ３１−１とＲＦＩＤタグ３１−５は、ボタン電話機Ａ２−１のＲＦＩＤエリア内に、ＲＦＩＤタグ３１−３は、ボタン電話機Ｂ２−２のＲＦＩＤエリア内にあるので、実施例１に従えば自動的に転送電話モードはオフに設定される。このような状態でも電話に出られない状況下では、意図的に転送電話モードをオンにすることが必要である。
【００５５】
その場合には、転送電話モードをオンにしたい人は、ボタン電話機２の入力回路２６から転送電話モードをオンするための転送電話機能を有する転送電話ボタンを押す。ボタン電話機２の制御部２１は転送電話ボタンが押されたことを認識し、データ送受信回路２２からボタン電話主装置１へボタン情報を送信する。
【００５６】
これ以降の動作を、図１０を用いて説明する。ボタン電話主装置１の中央制御部１１は内線回路１５を経由してボタン電話機２から送信されたボタン情報を受信する（Ｓ４０１）。中央制御部１１は、受信したボタン情報を記憶部１６に記憶する（Ｓ４０２）。中央制御部１１は、ボタン情報が“０”か否かを判断する（Ｓ４０３）。ステップＳ４０３において、ボタン情報が“１”（転送電話モードオン）の場合（Ｎｏ）には、ＩＤ情報に関係なく転送電話モードをオンに設定する（Ｓ４０７）。
ステップＳ４０３において、ボタン情報が“０”（転送電話モードオフ）の場合（Ｙｅｓ）には、記憶部１６に記憶されたＩＤ受信情報を読み出し（Ｓ４０４）、全てのＩＤに対してエリア番号が“０”であるか否かを判定する（Ｓ４０５）。ステップＳ４０５において、全てのＩＤに対してエリア番号が“０”である場合（Ｙｅｓ）には、中央制御部１１は、ボタン電話機の近傍に応答者が誰もいないと判定して、転送電話モードをオンに設定する（Ｓ４０７）。
【００５７】
また、ステップＳ４０５において、いずれかの１つ以上のＩＤのエリア番号が“０”以外であった場合（Ｎｏ）には、ボタン電話機の近傍に応答者の誰かが居ると判定して転送電話モードをオフに設定する（Ｓ４０６）。
【００５８】
第２の実施例は、システム一括で転送電話モードに切り替える例で説明しているが、同様に外線毎、電話機毎、発信者番号毎の場合も、記憶されたデータとボタン操作の組み合わせで、転送電話モードのオン又はオフを行うことができる。
【００５９】
第３の実施例の動作を説明する。第３の実施例は、第１の実施例と以下に示す設定時刻による転送電話モードのオン又はオフの組み合わせであり、第１の実施例で説明の部分は以下の説明では省略および簡略化する。
図４おいて、ＲＦＩＤタグ３１−１とＲＦＩＤタグ３１−５は、ボタン電話機Ａ２−１のＲＦＩＤエリア内に、ＲＦＩＤタグ３１−３は、ボタン電話機Ｂ２−２のＲＦＩＤエリア内にあるので、実施例１に従えば自動的に転送電話モードはオフに設定される。このような状態でも終業時刻後には、意図的に転送電話モードをオンにすることが必要な場合がある。
【００６０】
その場合には、ボタン電話主装置１に、予め転送電話モードをオンにする時刻とオフにする時刻とを設定して、記憶部１６に記憶しておく。設定方法については、ボタン電話機の入力回路から行う方法等があるが、本実施例では説明を省略する。
【００６１】
これ以降の動作を、図１１を用いて説明する。ボタン電話主装置１の中央制御部１１は、時計回路１７を定期的に確認して、現在時刻を認識する（Ｓ５０１）。認識した現在時刻と予め記憶部１６に記憶された転送電話モードをオン又はオフする時刻とを比較し、転送電話モードオフ時刻であるか転送モードオン時刻であるかを判定する（Ｓ５０２）。転送電話モードオン時刻であった場合には、記憶部１６の時計による転送電話モード記憶エリアに転送電話モードオンをセットし（Ｓ５０４）、ＩＤ情報に関係なく転送電話モードをオンに設定する（Ｓ５０８）。
【００６２】
ステップＳ５０２において、転送電話モードオフ時刻であった場合には、記憶部１６の時計による転送電話モード記憶エリアに転送電話モードオフをセットし（Ｓ５０３）、記憶部１６に記憶されているＩＤ受信情報を読出し（Ｓ５０５）、全てのＩＤに対してエリア番号が“０”であるか否かを判定する（Ｓ５０６）。ステップＳ５０６の判定の結果、全てのＩＤに対してエリア番号が“０”である（Ｙｅｓ）場合には、中央制御部１１は、ボタン電話機近傍に応答者が誰も居ないと判定して、転送電話モードをオンに設定する（Ｓ５０８）。
【００６３】
また、ステップＳ５０６の判定の結果、いずれか１つ以上のＩＤのエリア番号が“０”以外であった（Ｎｏ）場合には、ボタン電話機近傍に応答者の誰かが居ると判定して転送電話モードをオフに設定する（Ｓ５０７）。
【００６４】
第３の実施例は、システム一括で転送電話モードに切り替える例で説明しているが、同様に外線毎、電話機毎、発信者番号毎の場合も、記憶されたＲＦＩＤ情報と時計比較結果の組み合わせで、転送電話モードのオン又はオフを行うことができる。
【００６５】
第４の実施例として、第２の実施例と第３の実施例をさらに組み合わせることにより、手動または時刻によって転送電話モードをオン又はオフに設定することができる。この場合、手動による転送電話モードの設定または時刻による転送電話モードの設定のいずれか一方を優先させることができる。これらの態様の詳細な説明は省略する。
【００６６】
第５の実施例として、第１〜第４の実施例で、転送電話モードをオンにした状態で着信があり転送電話が動作した場合に、中央制御部１１は、転送先の応答を監視し、一定時間以上応答がない場合には、着信側の外線回路１３−１を通話路スイッチ１２を経由して留守番回路１４に接続することにより、留守録音を行うことができる。
【００６７】
ＲＦＩＤタグ３１には、電池を持つものと、電池を持たずにＲＦＩＤリーダー／ライターからのＲＦ信号によりパワーを得るものがあり、本実施例では電池を持たない例を記述しているが、何れの方式でも同様に本発明を実施することが可能である。
【００６８】
本実施例は、ボタン電話装置で説明しているが、構内交換機やＩＰセントレクス等の交換装置においても同様に本発明を実現することが可能である。
【図面の簡単な説明】
【００６９】
【図１】本発明に係わる全体を説明する概略図。
【図２】本発明の実施例におけるボタン電話装置のボタン電話主装置およびボタン電話機の構成概略図。
【図３】本発明の実施例におけるＲＦＩＤタグの外観例（社員証）および構成概略図。
【図４】本発明の実施例における概略の動作イメージ図。
【図５】本発明のシステム一括で転送電話モードを切り替える場合の記憶情報テーブル。
【図６】本発明の電話機毎で転送電話モードを切り替える場合の記憶情報テーブル。
【図７】本発明の外線毎で転送電話モードを切り替える場合の記憶情報テーブル。
【図８】本発明の発信者番号毎で転送電話モードを切り替える場合の記憶情報テーブル。
【図９】本発明の第１の実施例における転送電話モードオンおよびオフの動作フローチャート。
【図１０】本発明の第２の実施例における転送電話モードオンおよびオフの動作フローチャート。
【図１１】本発明の第３の実施例における転送電話モードオンおよびオフの動作フローチャート。
【符号の説明】
【００７０】
１：ボタン電話主装置、２：ボタン電話機、３：社員証、５応答者（人）、６：通信網、７：電話機、１１：中央制御部、１２：通話路スイッチ、１３：外線回路、１４：留守番回路、１５：内線回路、１６：記憶部、１７：時計回路、２１：制御部、２２：データ送受信回路、２３：音声処理部、２４：送受話器、２５：スピーカ、２６：入力回路、２７：表示回路、２８：ＲＦＩＤリーダ／ライタ、３１：ＲＦＩＤタグ、３２：記憶部。
【図１】
2006074182.tif 000003
【図２】
2006074182.tif 000004
【図３】
2006074182.tif 000005
【図４】
2006074182.tif 000006
【図５】
2006074182.tif 000007
【図６】
2006074182.tif 000008
【図７】
2006074182.tif 000009
【図８】
2006074182.tif 000010
【図９】
2006074182.tif 000011
【図１０】
2006074182.tif 000012
【図１１】
2006074182.tif 000013